(57)【要約】【課題】客室などに備品として設置しておくだけで、しかも煩雑なアダプタの交換を行わずに各機種の携帯電話機の充電を行うことができるに携帯電話用充電器を提供する。【解決手段】ケーシング内に携帯電話機機種に対応する複数の充電器本体を格納し、それら充電器本体の給電側を接続して外部の単一のプラグに結線すると共に、各充電器本体の各ケーブルをケーシング外に導出し、それぞれ先端に専用の充電コネクターを取り付けた。【選択図】図２
0003120929.tif 000002
【実用新案登録請求の範囲】
【請求項１】
ケーシング内に複数の携帯電話機の機種に対応する充電器本体を格納し、それら充電器本体の給電側を並列接続して外部の単一のプラグに結線すると共に、各充電器本体の各ケーブルをケーシング外に導出し、それぞれ先端に専用の充電コネクターを取り付けたことを特徴とする携帯電話用充電器。
【請求項２】
各充電器本体の各ケーブルがケーシング内に伸縮自在に格納されている請求項1に記載の携帯電話用充電器。
【請求項３】
ケーシングの一側に各ケーブルを間隔を保たせつつ引き出すためのガイド手段が設けられている請求項２に記載の携帯電話用充電器。
【考案の詳細な説明】
【技術分野】
【０００１】
本考案は携帯電話用充電器とりわけ宿泊施設などにおける客用常備品として好適な携帯電話用充電器に関する。
【背景技術】
【０００２】
携帯電話は広く普及しているが、定期的に充電を行わないと使用不能になる。ホテルや旅館などにおいては、こうした携帯機の充電の要望にこたえるために充電器を用意しているが、携帯電話の接続コネクターは機種によって構造、大きさ、間隔などの仕様が異なっており、共用できないようになっている。
【０００３】
そこで従来では、フロントなどのサービス部門に複数の機種(現在３機種程度)に対応した充電コネクターを有する各充電器を用意しておき、客の要求に応じて宿泊部屋に届けるようにしている。しかし、この方法では、いちいちサービス担当者が出向かなければならず、回収も面倒である問題があった。
この対策として、客室内に充電器を装備させておき、客の要望のあった機種に応ずる充電コネクターの付いたアダプタと交換するやり方も取られているが、やはりいちいちアダプタを客に届ける手間がかかり、しかも、ともするとアダプタが紛失してしまったり、チェックアウト時に持ち去られてしまったりするおそれがあり、その補充にコストがかかる問題があった。また、客が複数人で、それぞれが異なる機種の携帯電話を所持していた場合に、順番待ちをしなければならなくなる不便さがあった。
【考案の開示】
【考案が解決しようとする課題】
【０００４】
本考案は前記のような問題点を解消するためになされたもので、その目的とするところは、客室などに備品として設置しておくだけで、しかも煩雑なアダプタの交換を行わずに各機種の携帯電話機の充電を行うことができる携帯電話用充電器を提供することにある。
【課題を解決するための手段】
【０００５】
上記目的を達成するため本考案は、ケーシング内に複数の携帯電話機機種に対応する充電器本体を格納し、それら充電器本体の給電側を並列接続して外部の単一のプラグに結線すると共に、各充電器本体の各ケーブルをケーシング外に導出し、それぞれ先端に専用の充電コネクターを取り付けたことを特徴としている。
【考案の効果】
【０００６】
本考案によるときには、ケーシングを客室内などにおける机やテーブルの引出し、壁などに固定しておけばよく、客が自分の携帯電話機の充電をしたいときには、ケーシング外に導出されている複数の充電コネクターの中から携帯電話機に適合したものを選択し、携帯電話機のコネクターと交合させればよい。
したがって、アダプタを交換するなどの面倒な作業も、フロントに電話をして充電器やアダプタを持参させる手間も不要となり、アダプタを紛失する懸念も解消される。また、複数の機種の携帯電話機を同時に充電することができるなどのすぐれた効果が得られる。また、単一の充電器形態をなし、給電用プラグも１個であるためコンパクトで、設置の場所を取らない。
【考案を実施するための最良の形態】
【０００７】
好適には、各充電器本体の各ケーブルがケーシング内に伸縮自在に格納されている。
これによれば、各ケーブルがケーシング外に長く延出されないので、ケーブルが絡み合ってコネクターの判別が阻害されることがなく希望する充電器機種のコネクターを誤たずに的確に選択使用することができるので、使い勝手がよくなる。
【０００８】
ケーシングの一側に各ケーブルを間隔を保たせつつ引き出すためのガイド手段が設けられている。
これによれば、各ケーブルが所定の間隔に保たれつつ円滑に引き出されるので、希望する充電器機種のコネクターを確実、容易に使用に供すことができる。
【実施例１】
【０００９】
以下添付図面を参照して本考案の実施例を説明する。
図１は本考案による携帯電話用充電器の第１実施例を使用状態で示している。１は本考案充電器であり、ホテル、旅館などの施設の室内適所たとえば客室内のテーブル付近や洗面所のテーブル付近の壁あるいは引出しなどの隠蔽用部Ａの内側などにねじなどの固定要素により固定されている。Ｔは携帯電話機であり、前記本考案充電器１から延出され、隠蔽用部Aに設けられた開口ａから導出されている複数本のケーブルにそれぞれついている各別のコネクターのうち1つが選択され、それに接続されることで充電が行われている。
【００１０】
図２ないし図４は前記本考案充電器１の詳細を示しており、２は薄型のケーシングであり、たとえば１７０ｍｍ×１７０ｍｍ×３０ｍｍの大きさとなっており、縁部には引掛け用穴とビス止め用穴を配した取付部２０，２０が設けられている。
ケーシング２内にはこの例では３種の充電器本体３Ａ，３Ｂ，３Ｃが隣接して配され、ケーシング背面部に固定されている。前記各充電器本体３Ａ，３Ｂ，３ＣのそれぞれのＡＣインレット３０Ａ，３０Ｂ，３０Ｃからの導線は並列状に接続され、２本の導線がコード３２としてケーシング２から延出され、先端のプラグ６で給電を得るようになっている。
【００１１】
前記３種の充電器本体３Ａ，３Ｂ，３Ｃは公知の構造のものであるが、それぞれのＤＣアウト側のケーブル３１Ａ，３１Ｂ，３１Ｃはケーシング内に延在され、ケーシングの一部に設けた開口２１から外部にそれぞれたとえば１ｍ程度導出されており、それぞれのケーブル３１Ａ，３１Ｂ，３１Ｃの先端には異なるコネクター４Ａ，４Ｂ，４Ｃが設けられている。
前記コネクター４Ａ，４Ｂ，４Ｃは、図４のように携帯電話の電話会社固有で共用不可能な構造や大きさを有しており、たとえば、第１のコネクター４ＡはＤＯＫＯＭＯ（登録商標）、ＶＯＤＥＲＦＯＮＥ（登録商標）、ＴＵ−ＫＡ（登録商標）の携帯電話機に対応するものであり、第２のコネクター4ＢはＡＵ（登録商標）の携帯電話機に対応するものであり、第３のコネクター4ＣはＦＯＭＡ（登録商標）、ＶＧＳ（登録商標）の携帯電話機に対応するものであり、こうした種別が一目でわかるようにコネクター４Ａ，４Ｂ，４Ｃの外面には電話会社名などの識別表示４０ａ、４０ｂ、４０ｃが施されている。
そして、前記ケーブル３１Ａ，３１Ｂ，３１Ｃの導出部分には、絡みつきあいを防止するためスプリング線５によって結束されている。これに代えてリール巻取り式となっていてもよい。
【００１２】
第１実施例の作用を説明すると、使用に当っては、本考案充電器１を各客室の適所たとえばテーブル付近や洗面所テーブル付近の壁などの隠蔽部Ａに配し、取付け部２０，２０をねじなどの固定要素により固定し、プラグ６をコンセントに差し込んで３種の充電器本体３Ａ，３Ｂ，３Ｃが給電可能な状態にしておく。３機種に対する充電機能を備えているが、全体としては単一の充電器形態を呈しているので室内装備品としてスマートで体裁がよいものとなる。
【００１３】
客が所持している携帯電話機Ｔの充電をしたいときには、ケーシング２から延出している３本のケーブル３１Ａ，３１Ｂ，３１Ｃのコネクター４Ａ，４Ｂ，４Ｃから識別表示４０ａ、４０ｂ、４０ｃにしたがって目的のものを選択し、携帯電話機Ｔのコネクターのカバーを外し、個々に所定のコネクターを差し込み接続すればよく、これで円滑に充電がなされる。
【００１４】
したがって、どのような機種であっても、いちいちフロントに連絡して充電器を持ってこさせる必要も、アダプタを交換する面倒な作業も要さず、また、アダプタを紛失する心配もなく、簡便に充電を行える。
また、複数人が同宿するときにも、所持している携帯電話機種が異なっている場合には、この例では３機種まで同時に充電を行えるので、使い勝手がよいものとなる。
【実施例２】
【００１５】
図５と図６は本考案にかかる携帯電話充電器の第２実施例を示しており、ケーシング１内に３種の充電器本体３Ａ，３Ｂ，３Ｃが隣接して配され、ケーシング背面部に固定されている。前記各充電器本体３Ａ，３Ｂ，３ＣのそれぞれのＡＣインレット３０Ａ，３０Ｂ，３０Ｃからの導線は並列状に接続され、２本の導線がコード３２としてケーシング２から延出されている。
【００１６】
前記３種の充電器本体３Ａ，３Ｂ，３ＣのＤＣアウト側のケーブル３１Ａ，３１Ｂ，３１Ｃはケーシング内に延在され、これから外部に導出されているが、この実施例ではケーシング１の端部にガイド手段７を配している。このガイド手段７はたとえば周面にガイド溝７０を設けた複数のローラからなり、それぞれのローラはケーシング１に固定した軸受に横架された中心軸７ａにより回転自在に支持されている。
前記ケーブル３１Ａ，３１Ｂ，３１Ｃは、途中にそれぞれストッパー８Ａ，８Ｂ，８Ｃを取り付けておりこのストッパー取付部位から前記ガイド手段７の近傍に到るケーブル中間部分３１０ａ，３１０ｂ、３１０ｃには圧縮ばねＳＡ，ＳＢ，ＳＣが外装されると共に、その圧縮ばねの両端がケーブル中間部分の前後領域またはストッパーとガイド手段７の直近部位に固定され、それにより前記ケーブル部分３１０ａ，３１０ｂ、３１０ｃはくねくねと屈曲され、この屈曲により所要長さが蓄積された状態となっている。
【００１７】
前記ケーブル中間部分３１０ａ，３１０ｂ、３１０ｃより先の部分はそれぞれ前記ガイド手段７の溝７０に沿ってケーシング外に平行状に導かれ、先端のコネクター４Ａ，４Ｂ，４Ｃのうち任意のものを選択して引っ張ることにより、前記蓄積長さ分が伸長して引き出されるようになっている。
【００１８】
前記ケーシング１は、図６のように隠蔽部Ａに固定され、隠蔽部Ａに設けた引き出し口ａからそれぞれ前記異なるコネクター４Ａ，４Ｂ，４Ｃを含むケーブル先端部分３１１ａ，３１１ｂ，３１１ｃが比較的短く突出している。前記引き出し口ａには導出穴を有するカバーａ１が取り付けられている。
【００１９】
この実施例においては、図６のように装備させておくことでケーブル３１Ａ，３１Ｂ，３１Ｃは短く露出しているだけとなり、このため、体裁がよいとともにコードの絡み合いも生じない。また、目的とするコネクターを選ぶのにコードを長くたどる必要もないので簡単である。
【００２０】
コネクターを選んだならば、そのコネクターをつまんで引張ればよく、それにより選ばれたコネクターとつながっているケーブル３１Ａまたは３１Ｂもしくは３１Ｃはガイド手段７の溝７０に沿って牽引され、圧縮ばねにより畳み込まれ蓄積されているケーブル中間部分３１０ａまたは３１０ｂもしくは３１０ｃの長さが実質的に延び、引出しは、最大限でもストッパー８Ａまたは８Ｂもしくは８Ｃがガイド手段７に接近するところで停止される。それにより、図６の仮想線のようにケーブル３１Ａまたは３１Ｂもしくは３１Ｃは、携帯電話を宙ぶらりんにしないで接続できる十分な長さ引き出される。
したがって使い勝手がよく、こうして充電が終り、コネクターとの接続を解除すれば、伸ばされている圧縮ばねが旧状に復帰することによりケーブル中間部分３１０ａまたは３１０ｂもしくは３１０ｃがケーシング内に戻され、図６の実線のように短く突出した状態に復帰する。
【００２１】
なお、本考案は図示の態様に限定されるものではなく、種々の態様をとり得る。たとえば、実施例では３種の充電器本体３Ａ，３Ｂ，３Ｃであるが、２種あるいは４種の充電器であってもよく、この場合、ひとつの充電器本体が２種の携帯電話機のコネクターと接続できるように２ラインのケーブルとコネクターを有している場合や、ひとつのコネクターが２種程度の携帯電話機に接続可能な構造となっている場合も含まれる。
【図面の簡単な説明】
【００２２】
【図１】本考案による携帯電話充電器の第１実施例を使用状態で示す斜視図である。
【図２】第１実施例の部分切欠平面図である。
【図３】同じくその側面図である。
【図４】図３のコネクターの拡大正面図である。
【図５】本考案による携帯電話充電器の第２実施例の部分切欠平面図である。
【図６】第２実施例の使用状態を示す要部縦断側面図である。
【符号の説明】
【００２３】
１  本考案携帯電話充電器
２  ケーシング
３Ａ，３Ｂ，３Ｃ  充電器本体
３１Ａ，３１Ｂ，３１Ｃ  ケーブル
４Ａ，４Ｂ，４Ｃ  コネクター
６  プラグ
７  ガイド手段
ＳＡ，ＳＢ，ＳＣ  ばね
【図１】
0003120929.tif 000003
【図２】
0003120929.tif 000004
【図３】
0003120929.tif 000005
【図４】
0003120929.tif 000006
【図５】
0003120929.tif 000007
【図６】
0003120929.tif 000008